(57)【特許請求の範囲】
【請求項１】
管体（Ｐ）の内部を撮影する撮像装置（Ｅ）を、水密状態を確保しつつ前記管体（Ｐ）内に送り込む止水機構（１）において、
ケーブル（Ｃ）を通す止水部本体（２）と、前記止水部本体（２）と同軸に設けた受け部（３）と、前記止水部本体（２）と前記受け部（３）との間に挟み込まれ、ケーブル（Ｃ）と同径の貫通孔（４）を形成したケーブルパッキン（５）と、前記貫通孔（４）の周縁部（６）と隣り合うように前記ケーブル（Ｃ）の抜き挿し方向の両側に形成され、前記ケーブル（Ｃ）の抜き挿しの際に前記周縁部（６）が入り込んで前記抜き挿し方向に変形するのを許容する空隙部（７）と、を有し、前記空隙部（７）が、前記ケーブルパッキン（５）の前記貫通孔（４）に、前記ケーブル（Ｃ）の抜き挿し方向に亘って段部（９）を有する拡径部（８）を形成することによって構成されている止水機構。
【請求項２】
前記ケーブルパッキン（５）が、前記ケーブル（Ｃ）と同径の貫通孔（４）を形成した第一パッキン（５ａ）と、前記第一パッキン（５ａ）に形成した貫通孔（４）よりも内径が大きい前記拡径部（８）を形成した第二パッキン（５ｂ）とを重ね合わせることによって構成されている請求項１に記載の止水機構。
【発明の詳細な説明】
【技術分野】
【０００１】
この発明は、水道管等の管体の内部を撮影する撮像装置を、水密状態を確保しつつ前記管体内に送り込むための止水機構に関する。
【背景技術】
【０００２】
水道管等の管体Ｐについて、例えば特許文献１に示すように、管体Ｐの内部を撮影する撮像装置Ｅを送り込んで、その内部の劣化状況を調査する検査が行われる（図５参照）。この検査は、まず管体Ｐ内にガイド筒体Ｇが挿し込まれ、次いでこのガイド筒体Ｇ内にケーブルＣに接続された撮像装置Ｅを送り込むことによってなされる。この定期検査は、水道等の使用者の不便を極力低減するために、不断水の状態のまま実施されることが多いため、管体Ｐ内の高水圧に耐え得る止水機構１の採用が必須となる。
【０００３】
そこで、本特許文献においては、図６（ａ）に示す止水機構１を採用し、水密状態の確保を図っている。この止水機構１は、ケーブルＣを通す止水部本体２と、止水部本体２と同軸に設けた受け部３と、止水部本体２と受け部３との間に挟み込まれ、ケーブルＣと同径の貫通孔４を形成したケーブルパッキン５とを有している。この止水部本体２は、ケーブルＣに近い内側止水部本体２ａと、その外径側に設けられる外側止水部本体２ｂとから構成されている。内側止水部本体２ａと外側止水部本体２ｂとの間にはスペーサ１６が設けられ、両止水部本体２ａ、２ｂは固定ねじ１７で固定されている。止水部本体２（外側止水部本体２ｂ）及び受け部３に設けたボルト１０を締め付けると、止水部本体２（内側止水部本体２ａ及び外側止水部本体２ｂ）と受け部３との間に挟み込まれたケーブルパッキン５がその厚さ方向に押し縮められ、これに伴って貫通孔４の内周面からケーブル側へ押圧力が作用する（本図内の矢印参照）。この押圧力の作用によって、ガイド筒体Ｇ（図５参照）とケーブルＣとの間の水密状態が確保される。
【０００４】
また、特許文献２には、電線の引き出し部分に用いるパッキンが記載されている。このパッキンは、電線等の外周面に当接するリップ部を構成する軟質ゴムと、この軟質ゴムの少なくとも一端部に一体に設けられる硬質ゴムとからなる。このように、硬質ゴムを用いることで軟質ゴムの変形を防止し、電線が屈曲したときに、電線と軟質ゴムとの間に隙間が生じて、この隙間から漏洩が生じるのを防止している。
【先行技術文献】
【特許文献】
【０００５】
【特許文献１】特開２０１３−９６１６０号公報
【特許文献２】実開平４−１９９５４号公報
【発明の概要】
【発明が解決しようとする課題】
【０００６】
ケーブルＣの外装チューブの材質によっては、一般的にゴムで構成されるケーブルパッキン５との間で、密着や摩擦が生じる場合がある。例えば、図６（ａ）に示す構成においては、図６（ｂ）に示すように、ケーブルＣの挿し込みの際に、このケーブルＣとケーブルパッキン５との間の密着や摩擦によって、ケーブルパッキン５に形成した貫通孔４の周縁部６がその挿し込みの方向（下向き）に変形する。この変形によって両者の間の密着や摩擦の程度が低減し、ケーブルＣをそのまま挿し込むことができる。その一方で、止水部本体２の下面と貫通孔４の周縁部６とが当接した状態となっているため、ケーブルＣの引き抜きの際に、ケーブルパッキン５がその引き抜きの方向（上向き）に変形できない。このため、ケーブルＣとケーブルパッキン５との間で密着や摩擦が生じたままの状態となって、このケーブルＣの引き抜きが困難となる問題がある。
【０００７】
また、特許文献２に示すパッキンの構成において、軟質ゴムと一体に設けられる硬質ゴムは、そもそも軟質ゴムの変形を防止するものであるため、電線等（ケーブル）の抜き挿しの際に、電線等と軟質ゴムとの間の密着や摩擦を低減する効果は発揮されない。電線等と軟質ゴムの接触が点接触状となるようにリップ部の形状を設計することによって密着や摩擦の低減を図ることも考えられるが、その場合、管体内の高水圧に耐え得る水密性の確保が困難となるため、現実的には採用し得ない。
【０００８】
そこで、この発明は、ケーブルパッキンによる水密性を確保しつつ、ケーブルの抜き挿しをスムーズになし得るようにすることを課題とする。
【課題を解決するための手段】
【０００９】
上記の課題を解決するため、この発明は、管体の内部を撮影する撮像装置を、水密状態を確保しつつ前記管体内に送り込む止水機構において、ケーブルを通す止水部本体と、前記止水部本体と同軸に設けた受け部と、前記止水部本体と前記受け部との間に挟み込まれ、ケーブルと同径の貫通孔を形成したケーブルパッキンと、前記貫通孔の周縁部と隣り合うように前記ケーブルの抜き挿し方向の両側に形成され、前記ケーブルの抜き挿しの際に前記周縁部が入り込んで前記抜き挿し方向に変形するのを許容する空隙部と、を有することを特徴とする止水機構を構成した。
【００１０】
このように、ケーブルの抜き挿し方向の両方にケーブルパッキンの周縁部が変形し得るようにすることにより、ケーブルとケーブルパッキンとの間の密着や摩擦の程度が低減し、ケーブルの抜き挿しのいずれの場合においても、その作業をスムーズに行うことができる。ここでいう同径とは、ケーブルの外径と貫通孔の内径が全く同一である場合だけでなく、水密状態を確保しつつ作業時に抜き挿しを容易に行い得る限りにおいて、若干異なることも許容される。
【００１１】
前記構成においては、前記空隙部を、前記ケーブルパッキンの前記貫通孔に、前記ケーブルの抜き挿し方向に亘って段部を有する拡径部を形成することによって構成することができる。
【００１２】
このように、拡径部の形成によって空隙部を構成することによって、ケーブルパッキンの周縁部を容易に変形し得るようにすることができる。しかも、段部を形成することにより、この段部が周縁部の屈曲点として作用し、この周縁部の変形が一層スムーズになされる。
【００１３】
ケーブルパッキンに段部を形成する前記構成においては、前記ケーブルパッキンを、前記ケーブルと同径の貫通孔を形成した第一パッキンと、前記第一パッキンに形成した貫通孔よりも内径が大きい前記拡径部を形成した第二パッキンとを重ね合わせることによって構成することができる。
【００１４】
第一パッキン及び第二パッキンの厚さ、第二パッキンに形成した貫通孔の内径は、この止水機構による止水性と、ケーブルとケーブルパッキンとの間の密着や摩擦の生じやすさと密接に関係する。例えば、第一パッキン及び第二パッキンを所定の厚さに保ちつつ、第二パッキンに形成した貫通孔の内径を変化させた場合、この内径が大きいほど、ケーブルとケーブルパッキンとの間の密着や摩擦が低減してケーブルの抜き挿しが容易になる反面、第一パッキンの周縁部が容易に変形しやすくなることによって止水性は低下する。
【００１５】
その一方で、この内径が小さいほど、ケーブルとケーブルパッキンとの間の密着や摩擦が大きくなりやすく、ケーブルの抜き挿しをしにくくなる反面、第一パッキンの周縁部が変形しにくくなって止水性は向上する。このように、ケーブルの抜き挿しのしやすさと止水性は相反するため、止水機構に適用するケーブルパッキンの形状の決定においては、試行錯誤の下にその形状に変更を加えつつ、最適な形状を見出す作業が必要となる。そこで、第一パッキンと第二パッキンを重ね合わせてケーブルパッキンを構成することにより、単一の部材でケーブルパッキンを一つ一つ構成した場合と比較して、迅速にその最適形状を見出すことができる。
【００１６】
また、第一パッキンと第二パッキンとの間の段部に応力集中が生じることに起因して、ひび割れ等の劣化が進行するのを防止することもできる。
【００１７】
上記のようにケーブルパッキンに拡径部を形成する代わりに、前記空隙部を、前記周縁部に臨む前記止水部本体の端部に、周溝を形成することによって構成することもできる。
【００１８】
このように周溝を形成することによっても、ケーブルパッキンに拡径部を形成した場合と同様に、ケーブルパッキンの周縁部を空隙部側に変形させる作用が発揮され、ケーブルをスムーズに抜き挿しすることができる。
【発明の効果】
【００１９】
この発明は、ケーブルを通す止水部本体と、前記止水部本体と同軸に設けた受け部と、前記止水部本体と前記受け部との間に挟み込まれ、ケーブルと同径の貫通孔を形成したケーブルパッキンと、前記貫通孔の周縁部と隣り合うように前記ケーブルの抜き挿し方向の両側に形成され、前記ケーブルの抜き挿しの際に前記周縁部が入り込んで前記抜き挿し方向に変形するのを許容する空隙部と、を有する止水機構を構成した。前記周縁部がケーブルの抜き挿しの方向いずれにも変形し得るようにしたことにより、ケーブルパッキンによる水密性を確保しつつ、ケーブルの抜き挿しをスムーズに行うことができる。
【図面の簡単な説明】
【００２０】
【図１】本願発明に係る止水機構の第一実施形態を示す縦断面図
【図２】図１に示す止水機構のケーブルパッキンの作用を示す縦断面図であって、（ａ）はケーブルの引き抜き時、（ｂ）はケーブルの挿し込み時
【図３】本願発明に係る止水機構の要部を示す縦断面図であって、（ａ）は第二実施形態、（ｂ）は第三実施形態
【図４】本願発明に係る止水機構の第四実施形態を示す縦断面図
【図５】管体調査における全体構成を示す側面図
【図６】従来技術に係る止水機構を示し、（ａ）はその全体の縦断面図、（ｂ）はケーブルパッキンの作用を示す縦断面図
【発明を実施するための形態】
【００２１】
この発明に係る止水機構１の第一実施形態を図１に示す。この止水機構１は、水道管等の管体Ｐの内部を撮影する撮像装置Ｅを、水密状態を確保しつつ管体Ｐ内に送り込むためのものである。この止水機構１は、ケーブルＣを通す止水部本体２と、この止水部本体２と同軸に設けた受け部３と、止水部本体２と受け部３との間に挟み込まれ、ケーブルＣと同径の貫通孔４を形成したケーブルパッキン５と、貫通孔４の周縁部６と隣り合うようにケーブルＣの抜き挿し方向の両側に形成され、このケーブルＣの抜き挿しの際に周縁部６が入り込んで前記抜き挿し方向に変形するのを許容する空隙部７と、を有している。
【００２２】
この第一実施形態において、ケーブルパッキン５は、ケーブルＣと同径の貫通孔４を形成した第一パッキン５ａと、この第一パッキン５ａに形成した貫通孔４よりも内径が大きい拡径部８を形成した第二パッキン５ｂとを重ね合わせることによって構成されている。この第一パッキン５ａと第二パッキン５ｂとの間には、９０度の角度をなす段部９が形成されている。このように、第一パッキン５ａと第二パッキン５ｂの両パッキン５ａ、５ｂを重ね合わせてケーブルパッキン５を構成することにより、両パッキン５ａ、５ｂの間の段部９に応力集中が生じることに起因して、ひび割れ等の劣化が進行するのを防止することができる。
【００２３】
このケーブルパッキン５が止水部本体２と受け部３との間に挟み込まれた状態で、止水部本体２及び受け部３に設けたボルト１０を締め付けると、ケーブルパッキン５がその厚さ方向に押し縮められ、これに伴って第一パッキン５ａに形成した貫通孔４の内周面からケーブルＣ側へ押圧力が作用する（図１中の矢印参照）。この押圧力の作用によって、ガイド筒体Ｇ（図５参照）とケーブルＣとの間の水密状態が確保される。
【００２４】
また、止水部本体２には、ケーブルシール部材１１と、ケーブルシール押さえ部材１２が設けられている。ケーブルシール部材１１は螺旋状をしており、止水部本体２の内面に形成された段差部１３に設けられる。このケーブルシール部材１１の内径（螺旋の巻き内径）はケーブルＣの外径とほぼ同じである。この止水部本体２にケーブルＣを通す際は、ケーブルシール押さえ部材１２を止水部本体２に固定する調節ねじ１４を若干緩めておき、このケーブルシール押さえ部材１２とケーブルシール部材１１とが強く当接しないようにしておく。このようにすることによって、ケーブルＣをケーブルシール部材１１にスムーズに通すことができる。
【００２５】
ケーブルＣをある程度送り込んだら、調節ねじ１４を締め付けて止水部本体２とケーブルシール押さえ部材１２とをしっかりとねじ止めする。すると、ケーブルシール部材１１が、ケーブルシール押さえ部材１２によって押さえ付けられて変形する。そして、その螺旋状の内径が縮径して、ケーブルＣの外径面に強く密接する。このように、ケーブルシール部材１１とケーブルＣとを密接させることにより、高い水密性を確保することができる。また、ケーブルＣを送り込みつつ、水密性も確保し得るように、調節ねじ１４の締め付け量を適宜調節することもできる。
【００２６】
ケーブルＣを引き抜くときは、図２（ａ）に示すように、第一パッキン５ａの周縁部６が上向きに変形することによって、逆にケーブルＣを挿し込むときは、図２（ｂ）に示すように、第一パッキン５ａの周縁部６が下向きに変形することによって、ケーブルＣの表面と第一パッキン５ａに形成した貫通孔４の内面との間の密着や摩擦の程度が低減する。このため、ケーブルＣの抜き挿しをスムーズに行うことができる。しかも、第一パッキン５ａと第二パッキン５ｂとの間に段部９を形成したので、この段部９が周縁部６の屈曲点として作用し、この周縁部６の変形が一層スムーズになされる。
【００２７】
なお、この第一実施形態では、ケーブルパッキン５とケーブルシール部材１１を併用する構成を採用したが、ケーブルパッキン５のみで十分な水密性が確保できる場合は、ケーブルシール部材１１を設けない構成とすることもできる。
【００２８】
この発明に係る止水機構１の第二実施形態の要部を図３（ａ）に、第三実施形態の要部を図３（ｂ）にそれぞれ示す。
【００２９】
第二実施形態においては、ケーブルパッキン５を単一の部材で構成し、ケーブルパッキン５の貫通孔４に、ケーブルＣの抜き挿し方向に亘って段部９を有する拡径部８を形成することによって空隙部７を構成している。このように空隙部７を構成することにより、第一実施形態において示した第一パッキン５ａと第二パッキン５ｂから構成されるケーブルパッキン５と同様に、このケーブルパッキン５の貫通孔４の周縁部６を、ケーブルＣの抜き挿し方向のいずれの方向にも自在に変形することができる。このため、ケーブルＣの抜き挿しをスムーズに行うことができる。
【００３０】
第三実施形態は、第一パッキン５ａと第二パッキン５ｂを重ね合わせることによってケーブルパッキン５を構成する点で第一実施形態と同じであるが、拡径部８の内周縁を、水平線よりも下向きの面法線を有する傾斜面とした点で相違している。このように傾斜面とした場合も、第一パッキン５ａと第二パッキン５ｂとの間に段部９が形成されているため、第一実施形態と同様に、この段部９が周縁部６の屈曲点として作用し、この周縁部６の変形が一層スムーズになされる。このように、水平線よりも下向きの面法線を有する傾斜面を形成する代わりに、水平線よりも上向きの面法線を有する傾斜面を形成してもよい。この場合も、周縁部６をケーブルＣの抜き挿し方向のいずれの方向にも自由に変形することができ、このケーブルＣの抜き挿しをスムーズに行うことができるためである。
【００３１】
この発明に係る止水機構１の第四実施形態を図４に示す。この基本構成は、第一実施形態に係る止水機構１と類似しているが、止水部本体２が、ケーブルＣに近い内側止水部本体２ａと、その外径側に設けられる外側止水部本体２ｂとから構成されている点で異なっている。ケーブルパッキン５の貫通孔４の周縁部６に臨む内側止水部本体２ａの端部には周溝１５が形成されており、この周溝１５の形成によって空隙部７が構成されている。
【００３２】
内側止水部本体２ａと外側止水部本体２ｂとの間にはスペーサ１６が設けられ、両止水部本体２ａ、２ｂは固定ねじ１７で固定されている。スペーサ１６を設けることによって、両止水部本体２ａ、２ｂの下面の間に、内側止水部本体２ａの下面が下向きに突出する段差が形成されている。この段差によって、ケーブルパッキン５が、その外径側よりも内径側で厚さ方向により強く押し縮められるため、このケーブルパッキン５に形成した貫通孔４の内周面からケーブルＣ側へ、より大きな押圧力を作用させることができる。このように、止水部本体２を内側止水部本体２ａと外側止水部本体２ｂとから構成する態様は、第一実施形態に係る止水機構１にも適用することができる。
【００３３】
上記の各実施形態はあくまでも一例であって、ケーブルパッキン５による水密性を確保しつつ、ケーブルＣの抜き挿しをスムーズになし得るようにする、という本願発明の課題を解決し得る限りにおいて、その構成を適宜変更することが許容される。
【符号の説明】
【００３４】
１  止水機構
２  止水部本体
２ａ  内側止水部本体
２ｂ  外側止水部本体
３  受け部
４  貫通孔
５  ケーブルパッキン
５ａ  第一パッキン
５ｂ  第二パッキン
６  周縁部
７  空隙部
８  拡径部
９  段部
１０  ボルト
１１  ケーブルシール部材
１２  ケーブルシール押さえ部材
１３  段差部
１４  調節ねじ
１５  周溝
１６  スペーサ
１７  固定ねじ
Ｃ  ケーブル
Ｅ  撮像装置
Ｐ  管体
【図１】
0005866393.tif 000002
【図２】
0005866393.tif 000003
【図３】
0005866393.tif 000004
【図４】
0005866393.tif 000005
【図５】
0005866393.tif 000006
【図６】
0005866393.tif 000007